(57)【特許請求の範囲】
【請求項１】
両端部に端部鍔を有するドラムコアに一対の巻線を施し、各巻線端末を前記ドラムコアに形成した電極にそれぞれ接続してなるコモンモードフィルタにおいて、
端子電極を有するスリーブコアの内側に前記ドラムコアが挿入、配置されており、前記スリーブコア側の前記端子電極と前記ドラムコア側の前記電極とを導体箔で接続してなり、
前記導体箔には前記引出線と前記電極との接続部分を露出させる透孔又は切り欠き部が形成されていることを特徴とするコモンモードフィルタ。
【請求項２】
前記ドラムコアの巻芯部の中間位置に中間鍔を形成し、一方の端部鍔と前記中間鍔間に第１の巻線を、他方の端部鍔と前記中間鍔間に第２の巻線をそれぞれ巻回し、前記第１の巻線の一方の引出線を前記中間鍔を乗り越えて前記他方の端部鍔側の電極に接続し、前記第２の巻線の一方の引出線を前記中間鍔を乗り越えて前記一方の端部鍔側の電極に接続した請求項１記載のコモンモードフィルタ。
【請求項３】
前記導体箔は前記ドラムコア側の前記電極及び前記スリーブコア側の前記端子電極に融着乃至無鉛はんだにより接続されており、さらに絶縁樹脂が前記導体箔を部分的に押さえるように前記ドラムコア及び前記スリーブコアにわたって被着形成されている請求項１又は２記載のコモンモードフィルタ。
【発明の詳細な説明】
【０００１】
【発明の属する技術分野】
本発明は、信号線路等のコモンモードノイズを抑圧するためのコモンモードフィルタに係り、とくに自動車等の使用温度が高くなる機器に搭載可能なコモンモードフィルタに関する。
【０００２】
【従来の技術】
従来、小型乃至超小型のコモンモードフィルタとして、図４に示すように、フェライト・ドラムコア１の鍔部端面に予め銀の焼き付け、さらに銅や無鉛はんだ（錫はんだ）のメッキにより電極５を片側２個所ずつ（合計４個所）形成しておき、そのドラムコア１に一対の巻線１０，２０を巻回し、各巻線１０，２０の引出線１０ａ，１０ｂ，２０ａ，２０ｂを電極５にそれぞれ接続し、巻線後のフェライト・ドラムコア１をフェライト・スリーブコア３０内側に挿入、配置したものが知られている。
【０００３】
【発明が解決しようとする課題】
図４の従来のコモンモードフィルタの場合、ドラムコア１の巻芯部２の左半分に例えば第１巻線１０を、右半分に第２巻線２０を巻回している。第１巻線１０の引出線１０ａ，１０ｂのうち引出線１０ａは隣接した鍔３Ａに接続すればよいが、引出線１０ｂは第２巻線２０上を通過させて離れた鍔３Ｂに接続しなければならない。同様に、第２巻線２０の引出線２０ａ，２０ｂのうち引出線２０ａは隣接した鍔３Ｂに接続すればよいが、引出線２０ｂは第１巻線１０上を通過させて離れた鍔３Ａに接続しなければならない。
【０００４】
そのため、図５（Ａ）のように引出線１０ｂと第２巻線２０の一部、引出線２０ｂと第１巻線１０の一部とが接触状態で引出線１０ｂ，２０ｂは引き出されることになる。各巻線の線材は、ウレタン樹脂等の絶縁被覆４１で銅等の心線４０を被覆した絶縁被覆導線であり、図５（Ａ）の接触状態で直ちに心線同士が短絡する訳ではないが、引出線１０ｂ，２０ｂの引出方向のテンションが大きいと図５（Ｂ）のように絶縁被覆４１が押し潰された状態となり、さらに１４０℃程度の高温下に長時間さらされることにより、図５（Ｃ）のように絶縁被覆４１が軟化をはじめ、心線同士が徐々に接近し、ついには図５（Ｄ）のように心線４０同士が直接接触して短絡事故発生となる。
【０００５】
また、近年、環境に配慮して無鉛はんだを用いてコモンモードフィルタを配線基板に装着する場合があるが、ドラムコア１側の電極５とスリーブコア３０側の端子電極とを導体箔の融着（例えば電極側錫層と導体箔側錫層同士の加熱溶着）で接続した構造とした場合、無鉛はんだは融点が高いため、配線基板へのはんだ付け時にドラムコア１側の電極５とスリーブコア３０側の端子電極相互の接続部分も溶融し、当該接続部の信頼性が損なわれる恐れがある。さらに、前記接続部の接続状態を外部から確認するのが容易な構造とはなっていなかった。
【０００６】
本発明の第１の目的は、上記の点に鑑み、一方の巻線の引出線が他方の巻線に接触することに起因する短絡事故発生を確実に防止して信頼性の向上を図ったコモンモードフィルタを提供することにある。
【０００７】
本発明の第２の目的は、ドラムコア側の電極とスリーブコア側の端子電極間の接続の信頼性が高く、かつ接続状態を外部より目視可能なコモンモードフィルタを提供することにある。
【０００８】
本発明のその他の目的や新規な特徴は後述の実施の形態において明らかにする。
【０００９】
【課題を解決するための手段】
上記目的を達成するために、本願請求項１の発明は、両端部に端部鍔を有するドラムコアに一対の巻線を施し、各巻線端末を前記ドラムコアに形成した電極にそれぞれ接続してなるコモンモードフィルタにおいて、
端子電極を有するスリーブコアの内側に前記ドラムコアが挿入、配置されており、前記スリーブコア側の前記端子電極と前記ドラムコア側の前記電極とを導体箔で接続してなり、
前記導体箔には前記引出線と前記電極との接続部分を露出させる透孔又は切り欠き部が形成されていることを特徴としている。
【００１０】
本願請求項２の発明に係るコモンモードフィルタは、請求項１において、前記ドラムコアの巻芯部の中間位置に中間鍔を形成し、一方の端部鍔と前記中間鍔間に第１の巻線を、他方の端部鍔と前記中間鍔間に第２の巻線をそれぞれ巻回し、前記第１の巻線の一方の引出線を前記中間鍔を乗り越えて前記他方の端部鍔側の電極に接続し、前記第２の巻線の一方の引出線を前記中間鍔を乗り越えて前記一方の端部鍔側の電極に接続したことを特徴としている。
【００１２】
本願請求項３の発明に係るコモンモードフィルタは、請求項１又は２において、前記導体箔は前記ドラムコア側の前記電極及び前記スリーブコア側の前記端子電極に融着乃至無鉛はんだにより接続されており、さらに絶縁樹脂が前記導体箔を部分的に押さえるように前記ドラムコア及び前記スリーブコアにわたって被着形成されていることを特徴としている。
【００１３】
【発明の実施の形態】
以下、本発明に係るコモンモードフィルタの実施の形態を図面に従って説明する。
【００１４】
図１乃至図３で本発明に係るコモンモードフィルタの第１の実施の形態を説明する。
【００１５】
これらの図において、５１はフェライト・ドラムコアであり、図３（Ａ）のように巻芯部５２の両端部に端部鍔５３Ａ，５３Ｂを有するとともに、巻芯部５２の中間位置に中間鍔５４を有するものである。中間鍔５４は端部鍔５３Ａ，５３Ｂよりも幾分高さが低く形成されている。ドラムコア５１の端部鍔５３Ａ，５３Ｂの端面には予め電極５５を片側２個所ずつ（合計４個所）形成しておく。前記電極５５は、銀又は銀合金ペーストの印刷焼き付け層の上に銅メッキ層、ニッケルメッキ層、錫（又は金）メッキ層を順次被着、形成したものである。
【００１６】
そのフェライト・ドラムコア５１に、図３（Ｂ）のようにウレタン樹脂等の絶縁被覆で銅等の心線を被覆した絶縁被覆導線を用いて一対の巻線１０，２０を設けるが、第１巻線１０は例えば巻芯部５２の左半分、つまり端部鍔５３Ａと中間鍔５４との間に巻回される。また第２巻線２０は第１巻線１０と同じ巻数となるように巻芯部５２の右半分、つまり端部鍔５３Ｂと中間鍔５４との間に巻回される。そして、第１巻線１０の一方の引出線１０ａは隣接した端部鍔５３Ａ端面の電極５５に融着（電極最上層の錫はんだメッキ層に引出線を加熱溶着）乃至無鉛はんだ（錫はんだ）によるはんだ付けで接続される。他方の引出線１０ｂは中間鍔５４上を乗り上げて第２巻線２０の上方を通過させて離れた端部鍔５３Ｂ端面の電極５５に接続される。同様に、第２巻線２０の一方の引出線２０ａは隣接した端部鍔５３Ｂ端面の電極５５に融着乃至無鉛はんだ（錫はんだ）よるはんだ付けで接続され、他方の引出線２０ｂは中間鍔５４上を乗り上げて第１巻線１０の上方を通過させて離れた端部鍔５３Ａ端面の電極５５に接続される。ここで重要なことは、中間鍔５４上に乗り上げて引き出された引出線１０ｂ，２０ｂが相手側巻線に接触しないで端部鍔に導かれるように中間鍔５４の高さを設定すること、及び巻線後のフェライト・ドラムコア５１を後述するフェライト・スリーブコア３０の内側に挿入する際に、中間鍔５４に乗り上げた引出線１０ｂ，２０ｂがドラムコア挿入の妨げにならないように中間鍔５４の高さを設定することである。
【００１７】
図１及び図２に示すように、フェライト・スリーブコア３０は角筒状であって、一方の端部の両側に２個所、他方の端部の両側に２個所の合計４個所の角部に端子電極３５が形成してある。前記端子電極３５は、銀又は銀合金ペーストの印刷焼き付け層の上に銅メッキ層、ニッケルメッキ層、錫（又は金）メッキ層を順次被着、形成したものである。
【００１８】
このスリーブコア３０内に、図３（Ｂ）のように巻線及び引出線処理後のドラムコア５１を挿入、配置し、スリーブコア側の端子電極３５（スリーブコア端面に形成された部分）とドラムコア側の電極５５間を導体箔としての錫メッキ銅箔６０でそれぞれ接続する。すなわち、錫メッキ銅箔６０と端子電極３５間及び錫メッキ銅箔６０と電極５５間を融着（例えば電極側錫層と導体箔側錫層同士の加熱溶着）乃至無鉛はんだ（錫はんだ）によるはんだ付けで接続する。このとき、図２のように、錫メッキ銅箔６０には、引出線１０ａ，１０ｂ，２０ａ，２０ｂと電極５５との接続部分を露出させる透孔又は切り欠き部６１が形成されている。
【００１９】
その後、Ｉ形の絶縁樹脂膜（層）７０を、フェライト・スリーブコア３０とフェライト・ドラムコア５１間にわたってスクリーン印刷等で印刷塗布することで形成する。図２に示すように、絶縁樹脂膜７０はドラムコア端面に一対ずつ形成されている電極５５の間を通り（引出線１０ａ，１０ｂ，２０ａ，２０ｂと電極５５との接続部分は覆わないようにし）、かつ錫メッキ銅箔６０の一部を覆うように被着形成されている。この絶縁樹脂膜７０を設ける理由は、フェライト・スリーブコア３０とフェライト・ドラムコア５１同士の固定、及びコモンモードフィルタを配線基板に無鉛はんだで装着する際に、錫メッキ銅箔６０を取り付けた無鉛はんだが溶融しても錫メッキ銅箔６０が脱落しないようにするためである。
【００２０】
この実施の形態によれば、次の通りの効果を得ることができる。
【００２１】
(1)  一対の巻線１０，２０を、ウレタン樹脂等の絶縁被覆で銅等の心線を被覆した絶縁被覆導線でフェライト・ドラムコア５１に巻回した構成であっても、ドラムコア５１に中間鍔５４を設けて、各巻線１０，２０の引出線１０ｂ，２０ｂを中間鍔５４に乗り上げてから端部鍔端面の電極５５に引き出し、融着（加熱溶着）乃至はんだ付けする構造であり、一方の巻線からの引出線が他方の巻線に接触すること無く引き出されるため、高温環境下におかれた場合であっても、従来技術の図５に示したような引出線と巻線間の短絡事故は発生しない。従って、自動車等の使用温度が高くなる機器に搭載時の信頼性向上が可能である。
【００２２】
(2)  コモンモードフィルタを配線基板に溶融温度の高い無鉛はんだ（錫はんだ）で装着する場合に、フェライト・スリーブコア３０側の端子電極３５とフェライト・ドラムコア５１側の電極５５とを接続している錫メッキ銅箔６０のはんだ付けが溶融しても、絶縁樹脂膜７０が錫メッキ銅箔６０をスリーブコア３０とドラムコア５１側に押さえているため、錫メッキ銅箔６０が脱落することはなく、端子電極３５と電極５５間の接続不良も発生しない。
【００２３】
(3)  錫メッキ銅箔６０は巻線１０，２０の引出線１０ａ，１０ｂ，２０ａ，２０ｂと電極５５との接続部分を露出させる透孔又は切り欠き部６１が形成されているため、コモンモードフィルタ完成後に外観検査にて前記接続部分を目視で確認できる。
【００２４】
なお、ドラムコアの中間鍔に部分的に高さの低い部分を形成して、当該部分に巻線からの引出線を通すようにしてもよい。但し、この場合も、引出線が相手側巻線に接触しないように中間鍔の引出線を通す部分の高さを確保する必要があることは勿論である。
【００２５】
以上本発明の実施の形態について説明してきたが、本発明はこれに限定されることなく請求項の記載の範囲内において各種の変形、変更が可能なことは当業者には自明であろう。
【００２６】
【発明の効果】
以上説明したように、本発明によれば、高温環境下においても巻線の引出線部分における短絡事故を確実に防止可能であり、自動車等の使用温度が高くなる機器に搭載可能なコモンモードフィルタを実現できる。
【００２７】
また、ドラムコア側の電極及びスリーブコア側の端子電極間を導体箔で接続する構成とした場合、さらに絶縁樹脂にて前記導体箔を部分的に押さえることで、溶融温度の高い無鉛はんだによるコモンモードフィルタの配線基板への取り付けにおいても、ドラムコア側の電極及びスリーブコア側の端子電極間の接続の信頼性を確保できる。
【００２８】
さらに、前記導体箔に、巻線からの引出線とドラムコア側電極との接続部分を露出させる透孔又は切り欠き部を形成しておくことにより、完成後のコモンモードフィルタの外観検査において、前記接続部分を目視できる。
【図面の簡単な説明】
【図１】本発明に係るコモンモードフィルタの実施の形態を示す分解斜視図である。
【図２】同正面図である。
【図３】実施の形態で用いるドラムコア、巻線及びその引出線を示す平面図である。
【図４】従来のコモンモードフィルタの平面図である。
【図５】従来のコモンモードフィルタにおける短絡事故発生理由を示す説明図である。
【符号の説明】
１，５１  フェライト・ドラムコア
５，５５  電極
１０，２０  巻線
１０ａ，１０ｂ，２０ａ，２０ｂ  引出線
３０  フェライト・スリーブコア
３５  端子電極
４０  心線
４１  絶縁被覆
５２  巻芯部
５３Ａ，５３Ｂ  端部鍔
５４  中間鍔
６０  錫メッキ銅箔
６１  透孔又は切り欠き部
７０  絶縁樹脂膜
【図１】
0003881904.tif 000002
【図２】
0003881904.tif 000003
【図３】
0003881904.tif 000004
【図４】
0003881904.tif 000005
【図５】
0003881904.tif 000006